(57)【要約】【課題】帯の位置ズレ、及び帯の物品からの離脱を防ぐことが可能な包装装置、及び包装方法を提供する。【解決手段】物品を移送する移送部１１と、その移送部１１により移送された物品Ｇに電界をかけてその物品Ｇを帯電させる帯電部１２と、移送部１１により移送され帯電部１２により帯電された物品Ｇに帯Ｎを取り付ける帯取付ステーション２を備える。移送部１１は、回転駆動可能な少なくとも一対の駆動プーリ１１３と、駆動プーリ１１３の外周に沿って配置された非帯電物質からなる駆動ベルト１１５とを備え、帯電部１２は、駆動ベルト１１５の上面に設けられた電圧を印加された第１の電極１２１ｂと、第１の電極１２１ｂに駆動ベルト１１５を介して対向する位置に設けられた、接地された第２電極１２２とを備える。【選択図】図１
2008105741.tif 000002
【特許請求の範囲】
【請求項１】
物品を包装する包装装置であって、
前記物品を移送する移送部と、
当該移送部により移送された前記物品に電界をかけて当該物品を帯電させる帯電部と、
前記移送部により移送され前記帯電部により帯電された物品に帯を取り付ける帯取付部と
を備えることを特徴とする包装装置。
【請求項２】
前記移送部は、
回転駆動可能な少なくとも一対の駆動プーリと、
当該駆動プーリの外周に沿って配置された非帯電物質からなる駆動ベルトと
を備え、
前記帯電部は、
前記駆動ベルトの上面に設けられ、電圧を印加された第１電極と、
前記第１の電極に前記駆動ベルトを介して対向する位置に設けられ、接地された第２電極と
を備えることを特徴とする請求項１記載の包装装置。
【請求項３】
物品を包装する包装方法であって、
前記物品を移送する移送ステップと、
当該移送ステップにより移送された前記物品に電界をかけて当該物品を帯電させる帯電ステップと、
前記移送ステップにて移送され前記帯電ステップにより帯電された物品に帯を取り付ける帯取付ステップと
を有することを特徴とする包装方法。
【発明の詳細な説明】
【技術分野】
【０００１】
本発明は、物品を包装する包装装置、及びその包装方法、特に大量生産に適した包装装置、及びその包装方法に関する。
【背景技術】
【０００２】
従来、例えば、ＤＶＤなどの物品を包装する場合、そのＤＶＤ等の包装の対象となる物品は、ベルトコンベア等により移送され、様々な工程の後ラッピングされる。このラッピング工程においては様々な技術が開示されており、その工程は簡便で精度の高いものとなっている。
【０００３】
例えば、特許文献１には、薄手のプラスチックフィルム等の包装材においても、シート移送途中での位置ずれやシート縁部の折れ曲がりを生ずることなく後続する処理に向けて確実に移送することができ、併せて包装シートのサイズチェンジに簡単に対応し得ると共に省スペース化が可能な包装機が開示されている。
【特許文献１】特開２００２−３２１７０９号公報
【発明の開示】
【発明が解決しようとする課題】
【０００４】
しかしながら、ラッピングを行う前に、物品の表面に帯を付す工程がなされる場合がある。物品に付す帯とは、例えばその物品の販売意欲を掻き立てる期間限定の広告等である。このような物品に帯を付す工程において、帯は物品の表面に載せられる。したがって、例えば、付した帯の糊付けが不十分な場合にあっては、付した帯の位置ズレが生じたり、帯が物品から外れたりする等の問題点を有していた。      
【０００５】
そこで、本発明は上記問題に鑑みてなされたものであって、帯の位置ズレ、及び帯の物品からの離脱を防ぐことが可能な包装装置、及び包装方法を提供することを目的とする。
【課題を解決するための手段】
【０００６】
本発明に係る包装装置は、物品を包装する包装装置であって、前記物品を移送する移送部と、当該移送部により移送された前記物品に電界をかけて当該物品を帯電させる帯電部と、前記移送部により移送され前記帯電部により帯電された物品に帯を取り付ける帯取付部とを備えることを特徴とする。
【０００７】
また、前記移送部は、回転駆動可能な少なくとも一対の駆動プーリと、当該駆動プーリの外周に沿って配置された非帯電物質からなる駆動ベルトとを備え、前記帯電部は、前記駆動ベルトの上面に設けられ、電圧を印加された第１電極と、前記第１の電極に前記駆動ベルトを介して対向する位置に設けられ、接地された第２電極とを備える構成としてもよい。
【０００８】
本発明に係る包装方法は、物品を包装する包装方法であって、前記物品を移送する移送ステップと、当該移送ステップにより移送された前記物品に電界をかけて当該物品を帯電させる帯電ステップと、前記移送ステップにて移送され前記帯電ステップにより帯電された物品に帯を取り付ける帯取付ステップとを有することを特徴とする。
【発明の効果】
【０００９】
本発明によれば、帯の位置ズレ、及び帯の物品からの離脱を防ぐことが可能な包装装置、及び包装方法を提供することができる。
【発明を実施するための最良の形態】
【００１０】
以下、図面を参照して、本発明の一実施形態係る包装装置、及び包装方法について説明する。
【００１１】
本発明の一実施形態に係る包装装置の構成を説明する。図１は、本発明の一実施形態に係る包装装置の上面概略図である。図１に示すように、一実施形態に係る包装装置は、主に、物品Ｇを帯電させる帯電ステーション１と、帯Ｎを物品Ｇに取り付ける帯取付ステーション２と、ラッピングを物品Ｇに施すラッピングステーション３と、物品Ｇを取り出す取出ステーション４とから構成されている。包装装置は、帯電ステーション１、帯取付ステーション２、ラッピングステーション３、取出ステーション４の順番に物品Ｇを搬送させるものである。ここで物品Ｇとは、例えば、図８に示すように、ＤＶＤが収納されたＤＶＤボックスであり、その素材は、ポリプロピレン等、帯電物質で構成されている。帯Ｎは、例えば、ＤＶＤボックスの一側面にコの字状に折りたたんだ状態で重ねられ、ＤＶＤボックスと共に包装される。なお、以下、図１に示すように物品Ｇの移送方向をＸ軸方向、物品Ｇの載置された面と平行であってＸ軸に直交する方向をＹ軸方向、Ｘ軸及びＹ軸に直交する方向をＺ軸方向とする。また、物品Ｇが移送されてくる方向（図１の左側）を基端とし、物品Ｇが移送される方向（図１の右側）を先端とする。
【００１２】
図２は、帯電ステーション１を拡大した側面図であり、図３は図２のＡ−Ａ’断面図である。図１〜図３に示すように、帯電ステーション１は、移送部１１、及び帯電部１２から構成されている。
【００１３】
移送部１１は、例えば物品Ｇを投入する筐体である物品投入ラック５から投入される物品Ｇを、帯取付ステーション２に移送させるものである。移送部１１は、４本の脚部１１１ａ，１１１ａ，１１１ｂ，１１１ｂと、脚部１１１ａ，１１１ａ及び脚部１１１ｂ，１１１ｂの上部に連結して設けられたフレーム１１２ａ，１１２ｂとを有している。フレーム１１２ａ，１１２ｂのＸ軸方向の両端には、２つの駆動プーリ１１３がフレーム１１２ａ，１１２ｂに対し回動可能に設けられている。駆動プーリ１１３は、例えばモータ等の駆動部（図示略）により回転駆動される。また、フレーム１１２ａ，１１２ｂ間にはさらに、回転可能に支持された４つの支持プーリ１１４が設けられている。支持プーリ１１４は、２つの駆動プーリ１１３の間において、フレーム１１２ａ，１１２ｂに回動可能に取り付けられ、Ｘ軸方向に平行に並べられている。これら２つの駆動プーリ１１３及び４つの支持プーリ１１４の外周には、それらに当接するように駆動ベルト１１５が設けられている。なお、駆動ベルト１１５は、帯電することのない、材料が好ましい。例えば、駆動ベルト１１５は、その表面に非帯電物質のフェルトをつける構成としてもよい。
【００１４】
帯電部１２は、物品Ｇに電界をかけ、物品Ｇを帯電させるものである。帯電部１２は、主に、駆動ベルト１１５のＺ軸方向上面に離間して配置された帯電器１２１と、駆動ベルト１１５の底面に配置されると共に接地された電極（第２電極）１２２とから構成されている。また、帯電部１２は、駆動ベルト１１５上に上述した帯電器１２１を囲むケース１２３を有している。ケース１２３は、物品Ｇが移送可能なように、物品Ｇの移送方向にあるＸ軸方向に直交する側面に開口１２３ａ、１２３ａを有している。また、このケース１２３に帯電器１２１は、接続部１２３ｂを介して接続されている。
【００１５】
帯電器１２１は、主に、下方に開口を有する筒状の筒部１２１ａと、筒部１２１ａに囲まれ、下方に突出した複数の突起（第１の電極）１２１ｂとから構成されている。複数の突起１２１ｂには、電圧が印加され、その印加電圧は、例えば、１０ｋＶ〜２０ｋＶ等である。印加電圧は、突起１２１ｂと電極１２２との距離、及び物品Ｇの構成などに応じて、変化させることができる。
【００１６】
このように構成された帯電器１２１の複数の突起１２１ｂに高電圧を印加することにより、複数の突起１２１ｂと電極１２２との間に放電が生じる。この放電が生じた複数の突起１２１ｂと電極１２２との間に、物品Ｇを移送させ、物品Ｇを帯電させることができる。この帯電により、次段の帯取付ステーション２において、のり付け等を行わなくても、帯Ｎがはずれることがない。
【００１７】
次に、帯取付ステーション２について、図４〜図７を参照して説明する。図４は、本発明の一実施形態に係る包装装置の帯取付ステーション２の拡大側面図であり、図５は、図４のＢ−Ｂ’断面図であり、図６は、図４のＣ−Ｃ’断面図であり、図７は、図４のＤ−Ｄ’断面図である。
【００１８】
図４に示すように、帯取付ステーション２は、主に、帯電ステーション１から移送されてきた物品Ｇを所定のタイミングまで停留させる停留部２１と、物品Ｇに帯Ｎを取り付ける帯取付部２２と、物品Ｇをラッピングステーション３へと送り出す送出部２３とから構成される。
【００１９】
停留部２１は、物品Ｇを移送する移送部２１１と、物品Ｇを停めるストッパ２１２と、物品Ｇを次段の帯取付部２２へ送り出す第１アーム２１３とを有している。
【００２０】
移送部２１１は、図４及び図５に示すように、４本の脚部２１１ａａ，２１１ａａ，２１１ａｂ，２１１ａｂと、脚部２１１ａａ，２１１ａａ及び脚部２１１ａｂ，２１１ａｂの上部に連結して設けられたフレーム２１１ｂａ，２１１ｂｂとを有している。これらフレーム２１１ｂａ，２１１ｂｂの間には平行に支持された６つの駆動ローラ２１１ｃが設けられている。６つの駆動ローラ２１１は、例えば、モータ（図示略）等の駆動部により駆動される。
【００２１】
ストッパ２１２は、図５に示すように、フレーム２１１ｂａの側部であって、Ｘ軸方向先端側に設けられている。ストッパ２１２は、シリンダ２１２ａ、及び物品Ｇに接触可能な接触部２１２ｂから構成されている。シリンダ２１２ａは、フレーム２１１ｂａの先端側に、Ｚ軸方向の上下に移動可能に設けられている。接触部２１２ｂは、シリンダ２１２ａのＺ軸方向上端に設けられており、Ｙ軸方向に駆動ローラ２１１ｃ側へと延びて形成されている。また、ストッパ２１２には、駆動ローラ２１１の上面であって、移送される物品Ｇと同じ高さに光検出器（図示略）を設けている。接触部２１２ｂは、シリンダ２１２ａが上下同動することにより、駆動ローラ２１１ｃの上面から少なくとも物品Ｇの厚み以上のＺ軸方向（仮想線で示す待避位置）へ移動可能である。また、同様に、接触部２１２ｂは、シリンダ２１２ａが上下動することによって、駆動ローラ２１１ｃと当接する位置（実線で示す作動位置）へと移動可能とされている。
【００２２】
第１アーム２１３は、フレーム２１１ｂｂの側部であって、Ｘ軸方向基端付近（帯電ステーション１側）に設けられている。第１アーム２１３は、第１シリンダ２１３ａ、第２シリンダ２１３ｂ、物品Ｇに接触可能な接触部２１３ｃから構成されている。第１シリンダ２１３ａは、フレーム２１２ｂｂの側部のＸ軸方向基端付近に設けられ、Ｚ軸方向に移動可能に構成されている。第２シリンダ２１３ｂは、第１シリンダ２１３ａのＺ軸方向上端に設けられており、Ｘ軸方向に移動可能に構成されている。接触部２１３ｃは、第２シリンダ２１３ｂの先端に設けられており、接触部２１３ｃの先端が駆動ローラ２１１ｃ上に達するように形成されている。接触部２１３は、第１シリンダ２１３ａが移動することにより、停留部２１のＸ軸方向基端側（待避位置）から停留部２１のＸ軸方向先端側（作動位置）へと移動可能とされている。また、接触部２１３は、第２シリンダ２１３ｂが移動することによって、駆動ローラ２１１ｃより少なくとも物品Ｇの厚み以上のＺ軸方向の位置（待避位置）から、駆動ローラ２１１ｃの上面に接触する位置（作動位置）へと移動可能とされている。
【００２３】
帯取付部２２は、図６に示すように、物品Ｇが載置可能な載置台２２１と、帯Ｎの取付けのための物品Ｇの位置を決める位置決め部２２２と、帯を供給する帯供給部２２３とから構成される。
【００２４】
載置台２２１は、４本の脚部２２１ａ、及び４本の脚部２２１ａの上部に連結して設けられた物品Ｇが載置される載置板２２１ｂから構成されている。載置板２２１ｂは、Ｘ軸方向に延びる一辺が凹んで形成された凹部２２１ｂａを有している。
【００２５】
位置決め部２２２は、載置板２２１ｂのＸ軸方向に延びる一辺に設けられている。位置決め部２２２は、主に、シリンダ２２２ａと、ビーム２２２ｂと、接触板２２２ｃとから構成されている。シリンダ２２２ａは、載置板２２１ｂのＹ軸に延びる一辺に設けられており、Ｚ軸方向に移動可能に構成されている。ビーム２２２ｂは、シリンダ２２２ａの先端からＹ軸方向に載置板２２１ｂの中央付近にまで延びて形成されている。接触板２２２ｃは、ビーム２２２ｂの先端に設けられており、Ｚ軸方向からみてＬの字型に形成され、物品Ｇに２面で接触可能な形状となっている。接触板２２２ｃは、シリンダ２２２ａによって、載置板２２１ｂより少なくとも物品Ｇの厚み以上Ｚ軸方向上の位置（仮想線で示す待避位置）から、載置板２２１ｂに接触する位置（実線で示す作動位置）へと移動可能とされている。
【００２６】
帯供給部２２３は、載置台２２１ｂを挟んで位置決め部２２２と対向する位置に設けられている。帯供給部２２３は、第１シリンダ２２３ａと、取付部材２２３ｂと、第２シリンダ２２３ｃと、第３シリンダ２２３ｄ、ビーム２２３ｅ、保持部２２３ｆと、帯格納部２２３ｇとから構成されている。
【００２７】
第１シリンダ２２３ａは、載置板２２１ｂのＸ軸方向に延びる一辺であって、載置板２２１ｂを介して位置決め部２２２と対向する位置に設けられ、Ｙ軸方向に前後移動可能に構成されている。取付部材２２３ｂは、第１シリンダ２２３ａの先端に載置板２２１ａと対向して物品Ｇの厚みよりわずかに大きい厚みをもってコの字状に形成され、さらに帯Ｎを保持するためその下方位置に突出した突出部２２３ｂａを設けて形成されている。取付部材２２３ｂは、突出部２２３ｂａに帯Ｎを載置し、そのコの字状の形状により物品Ｇに嵌合して帯Ｎを物品Ｇに取り付けるものである。第２シリンダ２２３ｃは、第１シリンダ２２３ａの近傍に設けられており、Ｚ軸方向に移動可能に構成されている。第３シリンダ２２３ｄは、第２シリンダ２２３ｃの上方に設けられ、Ｙ軸方向に移動可能に構成されている。ビーム２２３ｅは、第２シリンダ２２３ｃの先端に設けられており、下方に延びて形成されている。保持部２２３ｆは、ビーム２２３ｅの下方先端に設けられており、帯Ｎを保持する状態、或いは保持しない状態のいずれかにすることが可能である。例えば、保持部２２３ｆは、ポンプの開閉等により、吸引を行い、一部の圧力を変化させるものである。帯格納部２２３ｇは、複数枚の帯Ｎを格納する筐体であり、第３シリンダ２２３ｄの下方に設けられている。
【００２８】
取付部材２２３ｂは、第１シリンダ２２３ａにより、Ｙ軸方向に載置板２２１ｂより離間した位置（実線で示す位置）から、載置板２２１ｂの凹部２２１ｂａに当接する位置（仮想線で示す位置）に移動可能にされている。また、吸着部２２３ｆは、第２シリンダ２２２ｃによって、帯格納部２２３ｇよりＺ軸上方に離間した位置（実線で示す位置）から、帯格納部２２３ｇとＺ軸方向に同じ高さとなる位置（仮想線で示す位置）へと移動可能とされている。また、吸着部２２３ｆは、第３シリンダ２２３ｃによって、帯格納部２２３ｇよりＹ軸方向に離間した位置から、帯格納部２２３ｇに格納された帯Ｎの端部とＹ軸方向に同じ位置へと移動可能とされている。
【００２９】
送出部２３は、図４及び図７に示すように、物品Ｇを移送する移送部２３１と、第２アーム２３２と、帯Ｎを押圧する押圧部２３３とから構成されている。
【００３０】
移送部２３１は、４本の脚部２３１ａａ，２３１ａａ，２３１ａｂ，２３１ａｂと、脚部２３１ａａ，２３１ａａ及び脚部２３１ａｂ，２３１ａｂの上部に連結して設けられたフレーム２３１ｂａ，２３１ｂｂとを有している。フレーム２３１ｂａ，２３１ｂｂのＸ軸方向の両端には、２つの駆動プーリ２３１ｃ，２３１ｃが、フレーム２３１ｂａ，２３１ｂｂに回動可能に設けられている。これら２つの駆動プーリ２３１ｃの外周には、当該外周に当接するように駆動ベルト２３１ｄが設けられている。なお、駆動プーリ２３１ｃは、モータ等の駆動部（図示略）により駆動される。
【００３１】
第２アーム２３２は、フレーム２３１ｂａのＸ軸方向基端側に設けられている。第２アーム２３２は、第１シリンダ２３２ａと、第２シリンダ２３２ｂと、物品Ｇと接触する接触部２３２ｃとから構成されている。第１シリンダ２３２ａは、フレーム２３１ｂａに設けられ、Ｚ軸方向上下に移動可能に構成されている。第２シリンダ２３２ｂは、第１シリンダ２３２ａの上部に取り付けられており、Ｘ軸方向前後に移動可能に構成されている。接触部２３２ｃは、第２シリンダ２３２ｂのＸ軸方向の基端に設けられており、接触部２３２ｃの先端が駆動ベルト２３１ｄ上に達するように形成されている。接触部２３２ｃは、第１シリンダ２３２ａが移動することによって、載置板２２１ｂより少なくとも物品Ｇの厚み以上のＺ軸方向の位置（待避位置）から、載置板２２１ｂに当接する位置（作動位置）に移動可能とされている。また、接触部２３２ｃは、第２シリンダ２３２ｂが移動することによって、載置板２２１ｂのＸ軸方向先端（待避位置）から、載置板２２１ｂのＸ軸方向基端（作動位置）に移動可能とされている。
【００３２】
押圧部２３３は、フレーム２３１ｂｂの側部に設けられている。押圧部２３３は、第１支持部２３３ａと、第２支持部２３３ｂと、ローラ２３３ｃを有している。第１支持部２３３ａは、フレーム２３１ｂｂの側部から、その上部に延びるように設けられている。第２支持部２３３ｂは、第１支持部２３３ａの上部から駆動ベルト２３１ｄをＹ軸方向にまたぐように形成されている。ローラ２３３ｃは、第２支持部２３３ｂを軸として回動可能に設けられている。なお、ローラ２３３ｃの外径は、駆動ベルト２３１ｄ上の物品Ｇの上面に当接可能な大きさに形成されている。
【００３３】
上記のように構成された帯取付ステーション２の動作を説明する。先ず、帯電ステーション１にて帯電した物品Ｇが帯取付ステーション２の先端側から移送されてくる。次に、光検出器（図示略）は、物品Ｇが所定位置に到達したことを検知する。この光検出器の物品Ｇの検知に基づき、ストッパ２１２のシリンダ２１２ａは、下方位置（作動位置）から上方位置（待避位置）に移動する。シリンダ２１２ａの移動により、接触部２１２ｂは、駆動ローラ２１２ｃから離間した位置に配置され、物品Ｇの移送が可能な状態となる。
【００３４】
続いて、位置決め部２２２のシリンダ２２２ａは、上方位置（待避位置）から下方位置（作動位置）に移動する。シリンダ２２２ａの移動により、接触板２２２ｂは、載置台２２１の上面に接する位置に配置される。
【００３５】
次に、第１アーム２１３の第１シリンダ２１３ａは、上方位置（待機位置）から下方位置（作動位置）に移動する。そして、第１アーム２１３ａの第２シリンダ２１３ｂは、基端位置（待避位置）から先端位置（作動位置）へと移動する。これらの動作により、位置決め部２２２の接触基板２２２ｂに物品Ｇを接触させ、物品Ｇを載置台２１１の所定位置に配置させることができる。
【００３６】
続いて、帯供給部２２３は、第２シリンダ２３３ｃ及び第３シリンダ２２３ｄにより保持部２２３ｆを、帯格納部２２３ｇに格納された帯Ｎに接触させ、保持部２２３ｆに帯Ｎを保持させる。そして、帯供給部２２３は、第２シリンダ２３３ｃ及び第３シリンダ２２３ｄにより保持部２２３ｆを移動させ、取付部材２２３ｂの下方位置の突出部２２３ｂａ上に帯Ｎを配置させる。
【００３７】
次に、帯供給部２２３は、第１シリンダ２２３ａにより取付部材２２３ｂを所定位置に配置された物品Ｇに嵌合するように移動させる。この取付部材２２３ｂの物品Ｇへの嵌合により、帯Ｎは、湾曲し物品Ｇに付されることとなる。
【００３８】
続いて、第２アーム２３２は、第１シリンダ２３２ａ及び第２シリンダ２３２ｂにより、載置板２２１ｂ上から移送部２３２１の駆動ベルト２３１ｄ上へと物品Ｇを移動させる。
【００３９】
上記のように、帯取付ステーション２において、帯Ｎは物品Ｇに取り付けられる。そして、物品Ｇは、帯電ステーション１において帯電した状態であるので、その静電気により容易に帯Ｎを取り付けることが可能である。また、帯Ｎは、物品Ｇからの位置ズレや、物品Ｇから離脱するおそれはない。
【００４０】
最後に、押圧ローラ２３３は、帯Ｎ及び物品Ｇを押圧し、帯Ｎを物品Ｇに確実に固定する。
【００４１】
次に、再び図１を参照して、ラッピングステーション３を説明する。ラッピングステーション３は、上述した移送部２３１の駆動ベルト２３１ｄ上に設けられている。ラッピングステーション３は、駆動ベルト２３１ｄ上のＸ軸方向に延びるように両側に設けられたガイド３１と、フィルム取付部３２とから構成されている。フィルム取付部３２は、薄膜フィルムＦを駆動ベルト２３１上をまたぐように、Ｚ軸方向に平行に配置させている。移送された物品Ｇは、薄膜フィルムＦを巻き込みつつ通過し、熱処理を加えられ、薄膜フィルムＦを収縮させてラッピングされる。
【００４２】
次に、図１を参照して、取出ステーション４を説明する。取出ステーション４は、第１の台４１、第２の台４２と、多関節駆動装置４３とから構成されている。第１の台４１は、前述した移送部２３１により物品Ｇが到達する台である。多節駆動装置４３は、多関節を有して移動し、物品Ｇを挟持可能に構成されており、第１の台４１上から第２の台４２上に、例えば５個ずつ物品Ｇを移す機能を有する。
【００４３】
上記のような取出ステーション４において、複数の物品Ｇを積載した場合、物品Ｇが帯電していることから、その静電気によって各々の物品Ｇが互いに張り付くこととなる。したがって、物品Ｇを積載した場合、物品Ｇ間で滑り崩れることはなく、物品Ｇの積載は容易なものとなる。
【００４４】
以上、本発明に係る包装装置の一実施形態を説明したが、上記実施形態に限られるものではない。例えば、取出ステーション４の構成は、多関節駆動装置４２以外を設ける構成であってもよく、例えば、決められた個数の物品Ｇが来ると、積載した状態で送り出すソータ式であってもよい。
【図面の簡単な説明】
【００４５】
【図１】本発明の一実施形態に係る包装装置の上面構成概略図である。
【図２】本発明の一実施形態に係る包装装置の帯電ステーションの拡大側面図である。
【図３】図２のＡ−Ａ’断面図である。
【図４】本発明の一実施形態に係る包装装置の帯取付ステーションの拡大側面図である。
【図５】図４のＢ−Ｂ’断面図である。
【図６】図４のＣ−Ｃ’断面図である。
【図７】図４のＤ−Ｄ’断面図である。
【図８】ＤＶＤボックス及びＤＶＤボックスに付される帯Ｎを示す図である。
【符号の説明】
【００４６】
１…帯電ステーション、２…帯取付ステーション、３…ラッピングステーション、４…取出ステーション、１１…移送部、１２…帯電部、２１…停留部、２２…帯取付部、２３…送出部。
【図１】
2008105741.tif 000003
【図２】
2008105741.tif 000004
【図３】
2008105741.tif 000005
【図４】
2008105741.tif 000006
【図５】
2008105741.tif 000007
【図６】
2008105741.tif 000008
【図７】
2008105741.tif 000009
【図８】
2008105741.tif 000010